(57)【要約】【課題】ケース本体と蓋体とを確実に係合させることができる収容容器を提供する。【解決手段】ケース本体１０と、ケース本体の縁部とヒンジ部７０を介して連結された蓋体４０とを備える収容容器１であって、ケース本体は、底板１１と、底板から立設するように形成された一対の第一の本体側壁部１２および第二の本体側壁部１３と、一対の第一の本体側壁部および第二の本体側壁部を囲うフランジ部１４と、第一の本体側壁部に形成された凹部２２ａとを有し、蓋体は、天板４１と、天板から立設するように形成された一対の第一の蓋側壁部４２と、第一の蓋側壁部に形成されケース本体に蓋体を重ねたときに凹部に係合する凸部５１ａとを有する。【選択図】図３
2015030514.tif 000002
【特許請求の範囲】
【請求項１】
ケース本体と、前記ケース本体の縁部とヒンジ部を介して連結された蓋体とを備え、真空成形により形成された収容容器であって、
前記ケース本体は、
矩形状に形成された底板と、
前記底板の対向する一対の第一の縁部上に前記底板の第一の面側に立設するように形成された一対の第一の本体側壁部と、
前記底板の対向する一対の第二の縁部のうちの一方上に形成され、一対の前記第一の本体側壁部に連結された第二の本体側壁部と、
一対の前記第一の本体側壁部および前記第二の本体側壁部を囲うように一対の前記第一の本体側壁部および前記第二の本体側壁部に連結されたフランジ部と、
前記第一の本体側壁部における、前記第二の本体側壁部側の端部であって前記第一の本体側壁部が立設する立設方向の基端側の側面に形成された凹部と、
を有し、
前記蓋体は、
矩形状に形成された天板と、
前記天板の縁部に、前記天板の第一の面側であって前記第一の本体側壁部が立設する方向とは反対方向に立設するように形成され、前記ケース本体に前記蓋体を重ねたときに一対の前記第一の本体側壁部を外側から挟む一対の第一の蓋側壁部と、
一対の前記第一の蓋側壁部の一方の側面から他方側に突出するように形成され、前記ケース本体に前記蓋体を重ねたときに前記凹部に係合する凸部と、
を有することを特徴とする収容容器。
【請求項２】
前記蓋体は、前記天板の縁部に形成され一対の前記第一の蓋側壁部に連結された第二の蓋側壁部を有し、
前記凸部は、前記第一の蓋側壁部の前記第二の蓋側壁部に連結された側の端部に形成されていることを特徴とする請求項１に記載の収容容器。
【請求項３】
前記ヒンジ部は、
前記フランジ部の外側の縁部周りに第一の端部が回動可能に連結されるとともに、
前記第二の蓋側壁部における前記第二の蓋側壁部が立設する第二の立設方向の基端側であって外側の縁部周りに第二の端部が回動可能に連結されていることを特徴とする請求項２に記載の収容容器。
【請求項４】
前記凹部における底面の前記ヒンジ部と反対側には、前記底面よりも凹んだ係合部が形成され、
前記凸部における前記ヒンジ部と反対側には、前記凸部よりも突出し前記係合部に係合する被係合部が形成されていることを特徴とする請求項１から３のいずれか一項に記載の収容容器。
【請求項５】
前記ケース本体は、
一対の前記第一の本体側壁部における前記第二の本体側壁部に連結された側とは反対側の端部にそれぞれ連結され、前記立設方向の長さが前記第一の本体側壁部よりも短い本体側補助壁部を有することを特徴とする請求項１から４のいずれか一項に記載の収容容器。
【請求項６】
前記ケース本体の前記フランジ部の外側の縁部と第二のヒンジ部を介して連結された第二の蓋体を備え、
前記ヒンジ部と前記第二のヒンジ部とは、前記底板を挟んで前記フランジ部の反対側に連結されていることを特徴とする請求項１から５のいずれか一項に記載の収容容器。
【発明の詳細な説明】
【技術分野】
【０００１】
本発明は、ケース本体に対して蓋体が開閉可能に連結された収容容器に関する。
【背景技術】
【０００２】
従来、タバコや粒状菓子などを販売したり試供品を提供したりするために、これら内容物を収容可能な収容容器が用いられている。
この種の収容容器としては、例えば特許文献１に記載されたタバコ包装用ケースが知られている。このタバコ包装用ケースは、上面にタバコが載る支持面部を有するケース本体と、ケース本体の上面に装着してケース本体内を密閉するカバー体（蓋体）とを、ヒンジ部で一体に連結して形成してある。
【０００３】
ケース本体は、平面視矩形状を呈し、その周辺を外方へ張り出したフランジ部とした構造となっている。ケース本体は、フランジ部の内方に、フランジ部から上方へ立ち上がった長手辺側壁部と短手辺側壁部を適宜な高さに設けるとともに、その表面に両長手辺間にわたりかつ短手辺と平行な分断線を形成している。
長手辺側壁部と短手辺側壁部は、ともにフランジ部から略直角に上方に立ち上がり、かつ上端を適宜な幅で水平に屈曲した後に下折れして底面部に連ねた略逆Ｕ字形の断面形状を呈している。
【０００４】
カバー体は、ヒンジ部を介してケース本体の端部に連結していて、周辺をケース本体のフランジ部に重合するフランジ部としている。フランジ部の内側に、ケース本体の長手辺側壁部および短手辺側壁部に外嵌合する周壁部を設けるとともに、周壁部の上端にアーチ状の天面部を一体に連ねて形成してある。
カバー体は、ヒンジ部でケース本体の上面側に折り曲げ、これをケース本体に被せると、周壁部がケース本体の長手辺側壁部および短手辺側壁部の外側に圧嵌し、かつ両フランジ部が重合する。これにより、ケース本体の上面全体を天面部で覆って、ケースの内部を密閉できる。
【先行技術文献】
【特許文献】
【０００５】
【特許文献１】特開２０１２−０３４５９９号公報
【発明の概要】
【発明が解決しようとする課題】
【０００６】
特許文献１のタバコ包装用ケースでは、一対の長手辺側壁部のうちヒンジ部から遠い側の外側に、凹部が形成されている。この凹部は、長手辺側壁部の長手方向の中央部に形成されている。一方で、周壁部の内側には凹部に係合する凸部が形成されている。凹部に凸部を係合させることで、カバー体が閉じた状態が保持される。
このようなタバコ包装用ケースは、製造の容易性から真空成形により形成されることがある。一枚の樹脂製のシートからケース本体およびカバー体を一体に形成し、ケース本体とカバー体との接続部分に刃物を押付けて厚さを薄くするなどしてヒンジ部を形成する。真空成形により形成する場合には、タバコ包装用ケースは一般的に薄いシートを金型により立体的に成形することで形成される。成形したタバコ包装用ケースを金型から容易に取外すために、壁部の断面形状は開口に向かうにしたがって幅が広くなる略逆Ｕ字形になる。
【０００７】
しかしながら、真空成形により形成されたタバコ包装用ケースの長手辺側壁部は、強度が低く変形しやすくなる。このため、他のものがタバコ包装用ケースに触れたときなどにタバコ包装用ケースが変形して、カバー体が意図していないのに開いてしまう可能性がある。
【０００８】
本発明は、このような問題点に鑑みてなされたものであって、ケース本体と蓋体とを確実に係合させることができる収容容器を提供することを目的とする。
【課題を解決するための手段】
【０００９】
上記課題を解決するために、この発明は以下の手段を提案している。
本発明の収容容器は、ケース本体と、前記ケース本体の縁部とヒンジ部を介して連結された蓋体とを備え、真空成形により形成された収容容器であって、前記ケース本体は、矩形状に形成された底板と、前記底板の対向する一対の第一の縁部上に前記底板の第一の面側に立設するように形成された一対の第一の本体側壁部と、前記底板の対向する一対の第二の縁部のうちの一方上に形成され、一対の前記第一の本体側壁部に連結された第二の本体側壁部と、一対の前記第一の本体側壁部および前記第二の本体側壁部を囲うように一対の前記第一の本体側壁部および前記第二の本体側壁部に連結されたフランジ部と、前記第一の本体側壁部における、前記第二の本体側壁部側の端部であって前記第一の本体側壁部が立設する立設方向の基端側の側面に形成された凹部と、を有し、前記蓋体は、矩形状に形成された天板と、前記天板の縁部に、前記天板の第一の面側であって前記第一の本体側壁部が立設する方向とは反対方向に立設するように形成され、前記ケース本体に前記蓋体を重ねたときに一対の前記第一の本体側壁部を外側から挟む一対の第一の蓋側壁部と、一対の前記第一の蓋側壁部の一方の側面から他方側に突出するように形成され、前記ケース本体に前記蓋体を重ねたときに前記凹部に係合する凸部と、を有することを特徴としている。
【００１０】
また、上記の収容容器において、前記蓋体は、前記天板の縁部に形成され一対の前記第一の蓋側壁部に連結された第二の蓋側壁部を有し、前記凸部は、前記第一の蓋側壁部の前記第二の蓋側壁部に連結された側の端部に形成されていることがより好ましい。
また、上記の収容容器において、前記ヒンジ部は、前記フランジ部の外側の縁部周りに第一の端部が回動可能に連結されるとともに、前記第二の蓋側壁部における前記第二の蓋側壁部が立設する第二の立設方向の基端側であって外側の縁部周りに第二の端部が回動可能に連結されていることがより好ましい。
また、上記の収容容器において、前記凹部における底面の前記ヒンジ部と反対側には、前記底面よりも凹んだ係合部が形成され、前記凸部における前記ヒンジ部と反対側には、前記凸部よりも突出し前記係合部に係合する被係合部が形成されていることがより好ましい。
【００１１】
また、上記の収容容器において、前記ケース本体は、一対の前記第一の本体側壁部における前記第二の本体側壁部に連結された側とは反対側の端部にそれぞれ連結され、前記立設方向の長さが前記第一の本体側壁部よりも短い本体側補助壁部を有することがより好ましい。
また、上記の収容容器において、前記ケース本体の前記フランジ部の外側の縁部と第二のヒンジ部を介して連結された第二の蓋体を備え、前記ヒンジ部と前記第二のヒンジ部とは、前記底板を挟んで前記フランジ部の反対側に連結されていることがより好ましい。
【発明の効果】
【００１２】
本発明の収容容器によれば、ケース本体と蓋体とを確実に係合させることができる。
【図面の簡単な説明】
【００１３】
【図１】本発明の一実施形態の収容容器における一部を破断した斜視図である。
【図２】同収容容器の一部を破断した平面図である。
【図３】同収容容器の側面の断面図である。
【図４】図３中の切断線Ａ１−Ａ１の断面図である。
【図５】図３中の切断線Ａ２−Ａ２の断面図である。
【図６】図３中の切断線Ａ３−Ａ３の断面図である。
【図７】図３中の切断線Ａ４−Ａ４の断面図である。
【図８】図３中の切断線Ａ５−Ａ５の断面図である。
【図９】図２中の切断線Ａ６−Ａ６の断面図である。
【図１０】同収容容器を真空成形により形成したときの側面の断面図である。
【図１１】同収容容器の作用を説明する要部の断面図である。
【図１２】同収容容器の作用を説明する側面の断面図である。
【図１３】同収容容器の作用を説明する側面の断面図である。
【図１４】同収容容器の作用を説明する要部の断面図である。
【発明を実施するための形態】
【００１４】
以下、本発明に係る収容容器の一実施形態を、図１から図１４を参照しながら説明する。以下では、収容容器がタバコ用ケースである場合を例にとって説明する。
図１から図３に示すように、本タバコ用ケース１は、タバコＴを収容するものであり、ケース本体１０と、ケース本体１０の縁部とヒンジ部７０を介して連結された蓋体４０と、ケース本体１０の縁部と第二のヒンジ部１１０を介して連結された第二の蓋体８０とを備えている。
なお、タバコ用ケース１は、後述するようにポリプロピレンなどの樹脂で形成されたシートを真空成形することにより、ケース本体１０、蓋体４０および第二の蓋体８０を一体に成形したものである。すなわち、タバコ用ケース１はいずれの部分においても、ほぼ均一な厚さとなっている。このシートの厚さは、例えば０．３ｍｍ〜０．５ｍｍ程度であり、成形後のタバコ用ケース１の厚さも同程度に薄いものである。
また、タバコＴは説明の便宜上図１のみに示している。
【００１５】
ケース本体１０は、矩形状に形成された底板１１と、底板１１の対向する一対の第一の縁部１１ａ上に形成された一対の第一の本体側壁部１２と、底板１１の対向する一対の第二の縁部１１ｂのうちの一方上に形成された第二の本体側壁部１３と、一対の第一の本体側壁部１２および第二の本体側壁部１３に連結されたフランジ部１４とを有している。
底板１１は、第二の縁部１１ｂよりも第一の縁部１１ａの方が長い。第一の縁部１１ａの長さは、一般的なタバコＴの長さよりも長い。第二の本体側壁部１３は、一対の第一の本体側壁部１２に対するヒンジ部７０側に設けられている。
【００１６】
第一の本体側壁部１２は、底板１１の第一の面１１ｃ側に立設するように底板１１に形成されている。第一の本体側壁部１２は、第一の縁部１１ａの一端から、第一の縁部１１ａの他端側の中間部まで形成されている。
第一の本体側壁部１２は、図２および図４に示すように、第一の縁部１１ａ上に形成された側板片２１、側板片２１に対して底板１１とは反対側に形成された側板片２２、および側板片２１と側板片２２とにそれぞれ連結された天板片２３および先端板片２４を互いに連結することで構成されている。
側板片２１および側板片２２は、底板１１から離間するにしたがって互いに近づくように形成されている。天板片２３は、側板片２１、２２における第一の本体側壁部１２が立設する立設方向Ｄ１の先端に、底板１１に対してほぼ平行となるように連結されている。底板１１と天板片２３との距離は、一般的なタバコの外径よりもわずかに大きい。
【００１７】
先端板片２４は、側板片２１、２２および天板片２３における第二の本体側壁部１３とは反対側の端部、すなわち、第一の縁部１１ａの他端側の端部に連結されている。先端板片２４は、底板１１から離間するにしたがって第二の本体側壁部１３に近づくように傾斜した形状に形成されている。
第一の本体側壁部１２には、底板１１の第二の面１１ｄ側から凹んだ穴部１２ａが形成されている。
【００１８】
このように構成された第一の本体側壁部１２は、真空成形時には例えば図４に示す領域Ｒ１側に成形用の金型（不図示。）が配されることになるが、側板片２１、２２および先端板片２４が立設方向Ｄ１に対して傾いて形成されていることで、成形後に金型から第一の本体側壁部１２が外れやすくなっている。
【００１９】
図５および図６に示すように、第一の本体側壁部１２における、第二の本体側壁部１３側の端部であって立設方向Ｄ１の基端側の側板片２２には、凹部２２ａが形成されている。凹部２２ａは、底板１１に沿って外側からケース本体１０の内部空間側に向かって凹むとともに、側板片２２における第二の本体側壁部１３側の端から第二の本体側壁部１３から離間する方向に延びるように形成されている。凹部２２ａは、第一の本体側壁部１２が立設する立設方向Ｄ１に対する側面に形成されている。
凹部２２ａにおける底面２２ｂのヒンジ部７０とは反対側には、底面２２ｂよりも凹んだ係合部２２ｃが形成されている。
【００２０】
図７および図８に示すように、第一の本体側壁部１２における、第二の本体側壁部１３とは反対側の端部であって立設方向Ｄ１の基端側の側板片２２には、凹部２２ｆが形成されている。凹部２２ｆは、底板１１に沿って外側からケース本体１０の内部空間側に向かって凹むとともに、側板片２２における、第二の本体側壁部１３とは反対側の端から第二の本体側壁部１３に近づく方向に延びるように形成されている。凹部２２ｆにおける底面２２ｇのヒンジ部７０側には、底面２２ｇよりも凹んだ係合部２２ｈが形成されている。
なお、第一の本体側壁部１２の凹部２２ａ、２２ｆ、および係合部２２ｃ、２２ｈは、成形後に金型が外れにくい向きに傾いていることになる。しかし、第一の本体側壁部１２のうち凹部２２ａ、２２ｆ、および係合部２２ｃ、２２ｈが形成されている範囲が一部であることにより、成形後に第一の本体側壁部１２から金型を外すことができる。
【００２１】
第二の本体側壁部１３は、図２および図９に示すように、底板１１に第一の面１１ｃ側に立設するように形成されている。第二の本体側壁部１３は、第二の縁部１１ｂ上に形成された側板片３１、側板片３１に対して底板１１とは反対側に形成された側板片３２、および側板片３１と側板片３２とにそれぞれ連結された天板片３３を互いに連結することで構成されている。
側板片３１および側板片３２は、底板１１から離間するにしたがって互いに近づくように形成されている。天板片３３は、側板片３１、３２における立設方向Ｄ１の先端に、底板１１に対してほぼ平行となるように連結されている。
側板片３２における立設方向Ｄ１の基端側には、凹部３２ａが形成されている。凹部３２ａは、側板片３２の全長にわたり形成されている。
第二の本体側壁部１３には、底板１１の第二の面１１ｄ側から凹んだ穴部１３ａが形成されている。
【００２２】
第二の本体側壁部１３の側板片３１の両端部は、各第一の本体側壁部１２の側板片２１に連結されている。同様に、側板片３２は各側板片２２に、天板片３３は天板片２３にそれぞれ連結されている。第二の本体側壁部１３の穴部１３ａは、各第一の本体側壁部１２の穴部１２ａに連通している。
このように、第二の本体側壁部１３は各第一の本体側壁部１２に連結されていて、底板１１と天板片２３との距離と底板１１と天板片３３との距離とは等しい。
【００２３】
図１および図２に示すように、底板１１の対向する一対の第二の縁部１１ｂのうちの他方上には、本体側補助壁部３６が形成されている。本体側補助壁部３６は、第二の縁部１１ｂ上だけでなく、第一の縁部１１ａの一部上にも形成されている。
本体側補助壁部３６には、図示はしないが第一の本体側壁部１２の穴部１２ａと同様の穴部が形成されている。本体側補助壁部３６は、立設方向Ｄ１の長さが第一の本体側壁部１２よりも短い。本体側補助壁部３６は、一対の第一の本体側壁部１２における第二の本体側壁部１３に連結された側とは反対側の端部にそれぞれ連結されている。
本体側補助壁部３６が底板１１の第一の面１１ｃ側に立設することで、底板１１と本体側補助壁部３６との間に段差３６ａが形成されている。
【００２４】
フランジ部１４は、一対の第一の本体側壁部１２、第二の本体側壁部１３および本体側補助壁部３６を囲うように形成されている。この例では、フランジ部１４と底板１１とは同一面上に形成されている。
【００２５】
蓋体４０は、矩形状に形成された天板４１と、天板４１の縁部において天板４１の第一の面４１ａ（図４参照。）側に立設するように形成された一対の第一の蓋側壁部４２と（一方の第一の蓋側壁部４２は不図示。）、一対の第一の蓋側壁部４２に連結された第二の蓋側壁部４３とを有している。
天板４１は、第二の縁部１１ｂに沿った長さは底板１１とほぼ等しいが、第一の縁部１１ａに沿った長さは底板１１よりも短い。第二の蓋側壁部４３は、一対の第一の蓋側壁部４２に対するヒンジ部７０側に設けられている。
【００２６】
第一の蓋側壁部４２は、立設方向Ｄ１とは反対方向の第二の立設方向Ｄ２に立設するように形成されている。
第一の蓋側壁部４２は、図２および図４に示すように、天板４１の対向する一対の縁部４１ｂ上に形成された側板片５１、側板片５１に対して天板４１とは反対側に形成された側板片５２、および側板片５１と側板片５２とにそれぞれ連結された底板片５３および先端板片５４を互いに連結することで構成されている。
側板片５１および側板片５２は、天板４１から離間するにしたがって互いに近づくように形成されている。底板片５３は、側板片５１、５２における第二の立設方向Ｄ２の先端に、天板４１に対してほぼ平行となるように連結されている。天板４１と底板片５３との距離は、ケース本体１０の底板１１と天板片２３との距離に等しい。
【００２７】
先端板片５４は、側板片５１、５２および底板片５３における第二の蓋側壁部４３とは反対側の端部に連結されている。先端板片５４は、天板４１から離間するにしたがって第二の蓋側壁部４３に近づくように傾斜した形状に形成されている。
第一の蓋側壁部４２には、天板４１の第二の面４１ｃ側から凹んだ穴部４２ａが形成されている。
【００２８】
図５および図６に示すように、各第一の蓋側壁部４２の側板片５１には、天板４１を挟んで対向する第一の蓋側壁部４２側に突出する凸部５１ａが形成されている。凸部５１ａは、側板片５１の第二の蓋側壁部４３に連結された側の端部に形成されている。より具体的には、凸部５１ａは、側板片５１の第二の蓋側壁部４３側の端から、天板４１に沿って第二の蓋側壁部４３から離間する方向に延びるように形成されている。凸部５１ａにおける第二の蓋側壁部４３とは反対側、すなわちヒンジ部７０とは反対側には、凸部５１ａよりも突出した被係合部５１ｂが形成されている。
【００２９】
第二の蓋側壁部４３は、図２および図９に示すように、天板４１に第二の立設方向Ｄ２に立設するように形成されている。第二の蓋側壁部４３は、天板４１の一対の縁部４１ｂとは異なる縁部４１ｄ上に形成された側板片６１、側板片６１に対して天板４１とは反対側に形成された側板片６２、および側板片６１と側板片６２とにそれぞれ連結された底板片６３を互いに連結することで構成されている。
側板片６１および側板片６２は、天板４１から離間するにしたがって互いに近づくように形成されている。側板片６１における第二の立設方向Ｄ２の先端側には、側板片６１の全長にわたり凸部６１ａが形成されている。
底板片６３は、凸部６１ａおよび側板片６２における第二の立設方向Ｄ２の先端に、天板４１に対してほぼ平行となるように連結されている。
第二の蓋側壁部４３には、天板４１の第二の面４１ｃ側から凹んだ穴部４３ａが形成されている。
【００３０】
第二の蓋側壁部４３の側板片６１の両端部は、各第一の蓋側壁部４２の側板片５１に連結されている。同様に、凸部６１ａは凸部５１ａに、側板片６２は各側板片５２に、底板片６３は底板片５３にそれぞれ連結されている。第二の蓋側壁部４３の穴部４３ａは、各第一の蓋側壁部４２の穴部４２ａに連通している。
このように、第二の蓋側壁部４３は各第一の蓋側壁部４２に連結されていて、天板４１と底板片５３との距離と天板４１と底板片６３との距離とは等しい。
【００３１】
ヒンジ部７０は、図３に示すように矩形状に形成されたヒンジ本体７１を有している。ヒンジ本体７１の互いに対向する第一の端部７１ａおよび第二の端部７１ｂは、平行である。
ヒンジ本体７１の第一の端部７１ａは、フランジ部１４の第二の本体側壁部１３側の外側の縁部周りに回動可能に連結されている。ヒンジ本体７１の第二の端部７１ｂは、第二の蓋側壁部４３における第二の立設方向Ｄ２の基端側であって外側の縁部、すなわち側板片６２の第二の立設方向Ｄ２の基端側の縁部周りに回動可能に連結されている。
ヒンジ本体７１は、フランジ部１４や側板片６２との接続部の厚さを薄くしたりミシン目を入れたりすることなどで、これらの縁部周りに回動しやすくなっている。
【００３２】
図１および図２に示すように、第二の蓋体８０、第二のヒンジ部１１０は、ケース本体１０を間に挟んで蓋体４０、ヒンジ部７０と向かい合うように形成されている。
第二の蓋体８０は、蓋体４０に対して第一の縁部１１ａに沿った長さが短く形成されていることと、凸部６１ａに対応する形状が設けられていないこと以外は、蓋体４０と同様に形成されている。すなわち、第二の蓋体８０は、天板８１と、天板８１の縁部で立設するように形成された一対の第一の蓋側壁部８２（一方の第一の蓋側壁部８２は不図示。）および第二の蓋側壁部８３とを有している。
【００３３】
第一の蓋側壁部８２は、図２に示すように、第一の蓋側壁部４２の側板片５１、５２、底板片５３および先端板片５４と同様に構成された側板片９１、９２、底板片９３および先端板片９４を有している。
側板片９１の第二の蓋側壁部８３とは反対側には、凸部５１ａ、被係合部５１ｂと同様の図７および図８に示す凸部９１ａ、被係合部９１ｂが形成されている。
第二の蓋側壁部８３は、図２に示すように、天板８１の縁部上に形成された側板片１０１、側板片１０１に対して天板８１とは反対側に形成された側板片１０２、および側板片１０１と側板片１０２とにそれぞれ連結された底板片１０３を互いに連結することで構成されている。
天板８１における第二の蓋側壁部８３とは反対側には、使用者が第二の蓋体８０を操作するためのツマミ８１ａが設けられている。
【００３４】
第二のヒンジ部１１０は、図３に示すように矩形状に形成されたヒンジ本体１１１を有している。ヒンジ本体１１１の互いに対向する第一の端部１１１ａおよび第二の端部１１１ｂは、平行である。
ヒンジ本体１１１の第一の端部１１１ａは、フランジ部１４の本体側補助壁部３６側の外側の縁部周りに回動可能に連結されている。ヒンジ本体１１１の第二の端部１１１ｂは、第二の蓋側壁部８３における第二の立設方向Ｄ２の基端側であって外側の縁部、すなわち側板片１０２の第二の立設方向Ｄ２の基端側の縁部周りに回動可能に連結されている。
ヒンジ部７０と第二のヒンジ部１１０とは、底板１１を挟んでフランジ部１４の反対側に連結されている。
【００３５】
ヒンジ本体７１の端部７１ａ、７１ｂを折り曲げてケース本体１０に蓋体４０を重ねて蓋体４０を閉じ、ヒンジ本体１１１の端部１１１ａ、１１１ｂを折り曲げてケース本体１０に第二の蓋体８０を重ねて第二の蓋体８０を閉じたときに、一対の第一の蓋側壁部４２および一対の第一の蓋側壁部８２は、ケース本体１０の一対の第一の本体側壁部１２を外側から挟むように配される。第二の蓋側壁部４３、８３は、第二の本体側壁部１３および本体側補助壁部３６を外側から挟むように配される。
【００３６】
図３は、第二の本体側壁部１３に第二の蓋側壁部４３を当接させることで蓋体４０をケース本体１０の中央側に移動（スライド）させるとともに、本体側補助壁部３６に第二の蓋側壁部８３を当接させることで第二の蓋体８０をケース本体１０の中央側に移動させたタバコ用ケース１のロック状態を示している。このロック状態では、第一の本体側壁部１２の凹部２２ａに第一の蓋側壁部４２の凸部５１ａが係合し、第一の本体側壁部１２の係合部２２ｃに第一の蓋側壁部４２の被係合部５１ｂが係合する。第二の本体側壁部１３の凹部３２ａに、第二の蓋側壁部４３の凸部６１ａが係合する（図９参照。）。第一の本体側壁部１２の凹部２２ｆに第一の蓋側壁部８２の凸部９１ａが係合し、第一の本体側壁部１２の係合部２２ｈに第一の蓋側壁部８２の被係合部９１ｂが係合する。
【００３７】
使用者がツマミ８１ａを把持しやすくするために、蓋体４０は、第二の蓋体８０よりも底板１１側に配される。
本タバコ用ケース１内には、図１に示すように、各タバコＴは第一の縁部１１ａに沿うように配置され、複数のタバコＴは第二の縁部１１ｂに沿って並べて配置される。この例では、タバコ用ケース１内に５本のタバコＴが収容できるようになっている。
【００３８】
このように構成された本タバコ用ケース１は、以下のように製造される。
すなわち、図１０に示すように、ケース本体１０に対して蓋体４０および第二の蓋体８０を開き、底板１１、天板４１、８１をほぼ同一面上に配置した形状のタバコ用ケース１を真空成形により形成する。不図示の刃物を用いてヒンジ部７０の端部７１ａ、７１ｂ、および第二のヒンジ部１１０の端部１１１ａ、１１１ｂを形成する。
図示はしないが、領域Ｒ２側に配された成形用の金型からタバコ用ケース１を取外す。
ヒンジ部７０を端部７１ａ、７１ｂで折り曲げ、第二のヒンジ部１１０を端部１１１ａ、１１１ｂで折り曲げて、蓋体４０、８０を閉じた状態にする。
【００３９】
本タバコ用ケース１は、第一の本体側壁部１２の係合部２２ｃに第一の蓋側壁部４２の被係合部５１ｂが係合することでケース本体１０から蓋体４０が離れにくくなり、蓋体４０がロック状態になっている。同様に、第一の本体側壁部１２の係合部２２ｈに第一の蓋側壁部８２の被係合部９１ｂが係合することでケース本体１０から第二の蓋体８０が離れにくくなり、第二の蓋体８０がロック状態になっている。
【００４０】
次に、以上のように構成された本タバコ用ケース１の作用について、ロック状態のタバコ用ケース１に対して、第二の蓋体８０を開ける動作を例にとって説明する。
使用者は、ツマミ８１ａを把持するなどして、第二の蓋体８０を蓋体４０から離間するようにスライドさせる。
このとき、被係合部９１ｂなどが弾性的に変形して、図１１に示すように、係合部２２ｈと被係合部９１ｂとの係合が解除される。図１２に示すように、ヒンジ本体１１１は第一の端部１１１ａ周りに回動し、第一の蓋側壁部８２の凸部９１ａは第一の本体側壁部１２の凹部２２ｆに沿って移動する。ヒンジ本体１１１に第二の蓋側壁部８３が当接すると、第二の蓋体８０がこれ以上スライドできなくなる。
【００４１】
このとき、第一の本体側壁部１２の凹部２２ｆと第一の蓋側壁部８２の凸部９１ａおよび被係合部９１ｂとの係合が解除される。図１３に示すように、ヒンジ本体１１１および第二の蓋体８０を一体にして第一の端部１１１ａ周りに回動させることで、ケース本体１０に対して第二の蓋体８０を容易に開けることができる。
ケース本体１０に対してタバコＴを第一の縁部１１ａに沿って第二の蓋体８０側に移動させ、タバコ用ケース１からタバコＴを取出す。本体側補助壁部３６に段差３６ａが形成されているため、意図することなくタバコＴがケース本体１０から落ちにくくなっている。
【００４２】
必要に応じて、蓋体４０を第二の蓋体８０と同様にして開ける。
この場合には、まず、蓋体４０を第二の蓋体８０から離間するようにスライドさせる。このとき、被係合部５１ｂなどが弾性的に変形して、図１２および図１４に示すように、係合部２２ｃと被係合部５１ｂとの係合が解除される。ヒンジ本体７１は第一の端部７１ａ周りに回動し、第一の蓋側壁部４２の凸部５１ａは第一の本体側壁部１２の凹部２２ａに沿って移動する。
凹部２２ａは第一の本体側壁部１２における第二の本体側壁部１３側の端部に形成されているため、第二の本体側壁部１３に支持されることで凹部２２ａが変形しにくくなる。同様に、凸部５１ａは第一の蓋側壁部４２における第二の蓋側壁部４３に連結された側の端部に形成されているため、第二の蓋側壁部４３に支持されることで凸部５１ａが変形しにくくなる。したがって、凹部２２ａ、凸部５１ａの変形を抑え、凹部２２ａに凸部５１ａが確実に係合される。
ヒンジ本体７１に第二の蓋側壁部４３が当接すると、蓋体４０がこれ以上スライドできなくなる。
【００４３】
このとき、図１２に示すように、第一の本体側壁部１２の凹部２２ａと第一の蓋側壁部４２の凸部５１ａおよび被係合部５１ｂとの係合が解除される。第二の本体側壁部１３の凹部３２ａと第二の蓋側壁部４３の凸部６１ａとの係合も解除される。
図１３に示すように、ヒンジ本体７１および蓋体４０を一体にして第一の端部７１ａ周りに回動させることで、ケース本体１０に対して蓋体４０を容易に開けることができる。
【００４４】
蓋体４０や第二の蓋体８０を閉じる動作は、上記と逆の手順となる。すなわち、蓋体４０を例にとれば、まず蓋体４０をヒンジ本体７１と一体にして第一の端部７１ａ周りに回動させ、ケース本体１０の底板１１と蓋体４０の天板４１とをほぼ平行にする。蓋体４０を第二の蓋体８０に近づけるようにスライドさせ、第一の本体側壁部１２の凹部２２ａに沿って第一の蓋側壁部４２の凸部５１ａを移動させる。第一の本体側壁部１２の係合部２２ｃに第一の蓋側壁部４２の被係合部５１ｂが係合することで、蓋体４０がロック状態になる。
【００４５】
以上説明したように、本実施形態のタバコ用ケース１は、真空成形により形成されているため、一般的に厚さが薄く変形しやすいものである。しかしながら、凹部２２ａが形成されている第一の本体側壁部１２における第二の本体側壁部１３側の端部は第二の本体側壁部１３に連結されているため、第一の本体側壁部１２、すなわち凹部２２ａが変形しにくくなっている。
したがって、この凹部２２ａに第一の蓋側壁部４２の凸部５１ａを確実に係合させることができ、ケース本体１０と蓋体４０とを確実に係合させることができる。
タバコＴを、ケース本体１０の本体側壁部１２、１３、蓋体４０、８０の蓋側壁部４２、４３、８２、８３による二重の壁で保護しているため、タバコＴの保護性を高めることができる。
【００４６】
凸部５１ａは第一の蓋側壁部４２の第二の蓋側壁部４３に連結された側の端部に形成されているため、凸部５１ａが変形しにくくなり、凹部２２ａに凸部５１ａをより確実に係合させることができる。
ヒンジ部７０のヒンジ本体７１は、第一の端部７１ａがフランジ部１４周りに回動可能に連結されるとともに、第二の端部７１ｂが第二の蓋側壁部４３周りに回動可能に連結されている。ヒンジ部７０が２つの回動中心を有することで、ケース本体１０に対して蓋体４０を平行に保ったまま、蓋体４０をスライド（平行移動）させることができる。これにより、第一の本体側壁部１２の凹部２２ａに沿って第一の蓋側壁部４２の凸部５１ａを移動させることができる。ケース本体１０に対して蓋体４０をスライドさせて凹部２２ａと凸部５１ａとの係合を解除させる構造であるため、意図していないのにこの係合が解除されるのを防止することができる。
この効果は、第二のヒンジ部１１０を介してケース本体１０に連結された第二の蓋体８０も奏することができる。
【００４７】
第一の本体側壁部１２の凹部２２ａには係合部２２ｃが形成され、第一の蓋側壁部４２の凸部５１ａには被係合部５１ｂが形成されている。係合部２２ｃに被係合部５１ｂが係合することで、凹部２２ａから凸部５１ａが外れにくくなり、ケース本体１０に対して蓋体４０が意図することなく開いてしまうのを抑制することができる。この効果は、被係合部９１ｂが形成された第二の蓋体８０も奏することができる。
ケース本体１０に設けられた本体側補助壁部３６により段差３６ａが形成されている。したがって、第二の蓋体８０を開けたときに、意図することなくタバコＴがケース本体１０から落ちることを抑えることができる。
タバコ用ケース１は、蓋体４０だけでなく第二の蓋体８０を備えている。このため、ケース本体１０に対して第一の縁部１１ａに沿った方向に蓋体４０、８０を開けることができ、タバコ用ケース１の操作性を向上させることができる。
【００４８】
なお、本実施形態のタバコ用ケース１は、ケース本体１０を第二の縁部１１ｂ方向の長さを短くするように変形させることで、第一の本体側壁部１２の凹部２２ｆと第一の蓋側壁部８２の凸部９１ａとの係合などを解除して、第二の蓋体８０を開けることもできる。
【００４９】
以上、本発明の一実施形態について図面を参照して詳述したが、具体的な構成はこの実施形態に限られるものではなく、本発明の要旨を逸脱しない範囲の構成の変更、組み合わせなども含まれる。
例えば、前記実施形態では、蓋体４０が第二の蓋側壁部４３を備えるとしたが、この第二の蓋側壁部４３は蓋体４０に備えられなくてもよい。この場合、蓋体４０は、天板４１に凸部５１ａが設けられた第一の蓋側壁部４２が互いに平行になるように一対形成され、第二の蓋側壁部４３が形成されない構成となる。蓋体４０に第二の蓋側壁部４３が備えられなくても、ケース本体１０において第二の本体側壁部１３により凹部２２ａが変形しにくくなっているため、凹部２２ａに凸部５１ａを確実に係合させることができるからである。
【００５０】
前記実施形態では、第一の本体側壁部１２に係合部２２ｃが形成されず、第一の蓋側壁部４２に被係合部５１ｂが形成されないように構成してもよい。また、タバコ用ケース１の使い方によっては、ケース本体１０に本体側補助壁部３６は形成されなくてもよい。
凹部２２ｆは一対の第一の本体側壁部１２のそれぞれに形成されているとしたが、凹部２２ｆは一対の第一の本体側壁部１２の一方に形成されていればよい。凸部５１ａについても、一対の第一の蓋側壁部４２のうちの一方に凹部２２ｆに係合するように形成されていればよい。
タバコ用ケース１は、ケース本体１０に第二のヒンジ部１１０を介して第二の蓋体８０が連結されているとした。しかし、タバコ用ケース１が第二のヒンジ部１１０および第二の蓋体８０を備えない、すなわち、タバコ用ケースに蓋体が１つのみ備えられるように構成してもよい。
【００５１】
前記実施形態では、収容容器がタバコ用ケース１であるとしたが、収容容器はこれに限られない。例えば、収容容器が、粒状菓子を収容するための菓子用ケースであるとしてもよい。
【符号の説明】
【００５２】
１    タバコ用ケース（収容容器）
１０  ケース本体
１１  底板
１１ａ  第一の縁部
１１ｃ  第一の面
１２  第一の本体側壁部
１３  第二の本体側壁部
１４  フランジ部
２２ａ  凹部
２２ｂ  底面
２２ｃ  係合部
３６  本体側補助壁部
４０  蓋体
４１  天板
４１ａ  第一の面
４２  第一の蓋側壁部
４３  第二の蓋側壁部
５１ａ  凸部
５１ｂ  被係合部
７０  ヒンジ部
７１ａ  第一の端部
７１ｂ  第二の端部
Ｄ１  立設方向
Ｄ２  第二の立設方向
【図１】
2015030514.tif 000003
【図２】
2015030514.tif 000004
【図３】
2015030514.tif 000005
【図４】
2015030514.tif 000006
【図５】
2015030514.tif 000007
【図６】
2015030514.tif 000008
【図７】
2015030514.tif 000009
【図８】
2015030514.tif 000010
【図９】
2015030514.tif 000011
【図１０】
2015030514.tif 000012
【図１１】
2015030514.tif 000013
【図１２】
2015030514.tif 000014
【図１３】
2015030514.tif 000015
【図１４】
2015030514.tif 000016